(57)【要約】      （修正有）【課題】動物の種類や大きさ等によって制限されることなく使用可能な動物用頭部保護帽を提供する。【解決手段】動物の頭部の上部に被せられる頭頂被覆部１ａと、動物の両頬から下顎を取り囲む顎掛け部１ｂと、動物のそれぞれの耳を取り囲む一対の耳掛け部１ｃとを備える。顎掛け部１ｂは、頭頂被覆部１ａから両側へ向けて延設された一対の側帯２と、これらの先端部に設けられ、これらを相互に連結するファスナー３とによって構成する。耳掛け部１ｃは、頭頂被覆部１ａから後方へ向けて略平行となるように延設された一対の上帯４と、各側帯２から後方へ向けて延設された一対の下帯５と、上帯４および下帯５の先端部に設けられ、これらを相互に連結するファスナー６とによって構成する。【選択図】図１
0003187767.tif 000002
【実用新案登録請求の範囲】
【請求項１】
動物の頭部の上部に被せられる頭頂被覆部と、前記動物の両頬から下顎を取り囲む顎掛け部と、前記動物のそれぞれの耳を取り囲む一対の耳掛け部とを備え、前記顎掛け部が、前記頭頂被覆部から両側へ向けて延設された一対の側帯と、これらの先端部に設けられ、これらを相互に連結するファスナーとによって構成され、前記耳掛け部が、前記頭頂被覆部から後方へ向けて略平行となるように延設された一対の上帯と、前記各側帯から後方へ向けて延設された一対の下帯と、前記上帯および前記下帯の先端部に設けられ、これらを相互に連結するファスナーとによって構成されていることを特徴とする動物用頭部保護帽。
【請求項２】
前記頭頂被覆部の前部に、前記動物の頭部の上部前方へ突出させられるバイザーが設けられていることを特徴とする請求項１に記載の動物用頭部保護帽。
【請求項３】
前記バイザーが、透明な合成樹脂によって構成されているとともに、紫外線遮蔽処理が施されていることを特徴とする請求項２に記載の動物用頭部保護帽。
【請求項４】
前記頭頂被覆部には、その後端部に至る切り込みが形成され、この切り込みが後方に行くにしたがい漸次広がるように形成されているとともに、それぞれの対向する縁部間にファスナーが設けられ、このファスナーにより、前記切り込みが閉じられるようになされていることを特徴とする請求項１ないし請求３の何れかに記載の動物用頭部保護帽。
【考案の詳細な説明】
【技術分野】
【０００１】
本考案は、動物用頭部保護帽に係わり、特に、犬や猫等のペットに好適に用いられる動物用頭部保護帽に関するものである。
【背景技術】
【０００２】
動物、特にペットとして飼われる犬や猫では、散歩の際に飼い主の好みによって衣類や帽子を着せることがある。
【０００３】
そして、帽子を被せる場合、耳が邪魔になってしっかりと被せることができない場合が多く見られる。
また、これらの動物は、しきりに身体を震わす動作を行なうことから、被せた帽子がすぐにとれてしまう。
【０００４】
このような不具合を解消するために、たとえば、帽子の両側部に穴を設けて、これらの穴に動物の両耳を通すようにしたものが提案されている（特許文献１）。
【先行技術文献】
【特許文献】
【０００５】
【特許文献１】特開２００７−２７５０４５号公報
【考案の概要】
【考案が解決しようとする課題】
【０００６】
しかしながら、前述した従来の提案においても、なお、つぎのような改善すべき問題点が残されている。
【０００７】
すなわち、動物の耳の大きさや形状は、動物の種類や大きさ等によって異なるが、帽子に開けた穴は、位置や大きさが一定であることから、前述した多種にわたる耳の形状の全てに適用できず、その使用範囲が限られるといった問題点である。
【０００８】
本考案は、前述した従来の問題点に鑑みてなされたもので、動物の種類や大きさ等によって制限されることなく使用可能な動物用頭部保護帽を提供することを課題とする。
【課題を解決するための手段】
【０００９】
本考案の動物用頭部保護帽は、動物の頭部の上部に被せられる頭頂被覆部と、前記動物の両頬から下顎を取り囲む顎掛け部と、前記動物のそれぞれの耳を取り囲む一対の耳掛け部とを備え、前記顎掛け部が、前記頭頂被覆部から両側へ向けて延設された一対の側帯と、これらの先端部に設けられ、これらを相互に連結するファスナーとによって構成され、前記耳掛け部が、前記頭頂被覆部から後方へ向けて略平行となるように延設された一対の上帯と、前記各側帯から後方へ向けて延設された一対の下帯と、前記上帯および前記下帯の先端部に設けられ、これらを相互に連結するファスナーとによって構成されていることを特徴とする。
【００１０】
このように構成された動物用頭部保護帽は、まず、前記顎掛け部の両側帯の先端部同士を前記ファスナーによって連結することにより、前記頭頂被覆部と両側帯とで円筒を形成する。
この状態で、前記耳掛け部を構成する前記各上帯と前記各下帯とは、前記頭頂被覆部の後方へ向けて開放された状態に保持される。
【００１１】
ついで、前述したように円筒状に連結された動物用頭部保護帽をその後方側から動物の頭部に被せるとともに、この動物の各耳を、前記上帯と下帯との間に位置させ、さらに、動物の左右それぞれにおいて、前記上帯と前記下帯のそれぞれの先端部を前記動物の耳の後方を覆うように折り曲げ、これらの先端部を前記ファスナーによって連結する。
【００１２】
以上の作業で本考案の動物用頭部保護帽を動物に装着することができる。
そして、装着する際に、前記両側帯の連結位置をファスナーによって調整することにより、形成される円筒形の内径を、装着する動物の頭部の大きさに合わせることができる。
【００１３】
また、前記上帯と前記下帯との連結位置を前記ファスナーによって調整することにより、これらの上帯と下帯とで形成される環状体の内径を、装着する動物の耳の大きさや位置に合わせることができる。
【００１４】
したがって、装着形状を、動物の種類や大きさ等に合わせて調整することができ、多くの種類の動物への装着を可能にする。
【００１５】
また、装着した状態において、動物の頭部が、その頭頂部、両頬、および、下顎が前記頭頂被覆部および両側帯によって包み込まれ、かつ、一対の上帯と下帯とでそれぞれの耳が、その根元部分で取り囲まれる。
【００１６】
したがって、動物の頭部の殆どが包み込まれ、かつ、耳が外部に露出させられた状態で装着され、この結果、しっかりとした装着が可能となり、動物の激しい動きによっても安定した装着状態を維持することができる。
【００１７】
そして、好ましくは、前記頭頂被覆部の前部に、前記動物の頭部の上部前方へ突出させられるバイザーを設ける。
【００１８】
このような構成とすることにより、動物の目を太陽光線から保護することができる。
【００１９】
そして、前記バイザーを、透明な合成樹脂によって構成するとともに、紫外線遮蔽処理を施すことにより、前述した保護効果を高めることができる。
【００２０】
一方、前記頭頂被覆部に、その後端部に至る切り込みを形成され、この切り込みを後方に行くにしたがい漸次広がるように形成するとともに、それぞれの対向する縁部間にファスナーを設け、このファスナーにより、前記切り込みを閉じるような構成とすることもできる。
【００２１】
このような構成とすることにより、前記切り込みが後方に行くにしたがい漸次広がるように形成されているから、前記ファスナーを閉じた際に、前記頭頂被覆部が上方へ向けて盛り上がるような湾曲形状となされる。
【００２２】
これによって、前記頭頂被覆部が動物の頭部を馴染むように包み込むことができ、装着時のずれを防止してより安定した装着を実現することができる。
【考案の効果】
【００２３】
このように本考案に係る動物用頭部保護帽によれば、動物の頭部を包み込むようにして装着することができるとともに、動物の種類や大きさ等に合わせて寸法調整を行なうことができ、これによって、安定した装着を可能にするとともに、多種類の動物への装着を可能にする。
【図面の簡単な説明】
【００２４】
【図１】本考案の一実施形態を示す平面図である。
【図２】本考案の一実施形態を示す背面図である。
【図３】本考案の一実施形態を示すもので、ベースシートの平面図である。
【図４】本考案の一実施形態を示すもので、装飾シートの平面図である。
【図５】本考案の一実施形態を示すもので、組み立て手順を示す斜視図である。
【図６】本考案の一実施形態を示すもので、組み立て手順を示す斜視図である。
【図７】本考案の一実施形態を示すもので、組み立て手順を示す斜視図である。
【図８】本考案の一実施形態を示すもので、組み立て手順を示す斜視図である。
【図９】本考案の一実施形態を示すもので、組み立て手順を示す斜視図である。
【図１０】本考案の一実施形態を示すもので、組み立て手順を示す斜視図である。
【図１１】本考案の一実施形態を示すもので、組み立て手順を示す斜視図である。
【図１２】本考案の一実施形態を示すもので、組み立て手順を示す斜視図である。
【図１３】本考案の一実施形態を示すもので、装着手順を示す平面図である。
【図１４】本考案の一実施形態を示すもので、装着状態を示す平面図である。
【図１５】本考案の一実施形態を示すもので、装着状態を示す側面図である。
【考案を実施するための形態】
【００２５】
以下、本考案の一実施形態を、図面を参照して説明する。
これらの図において符号１は、本実施形態に係わる動物用頭部保護帽（以下、保護帽と略称する）を示し、この保護帽１は、動物Ｄの頭部Ｈの上部に被せられる頭頂被覆部１ａと、前記動物Ｄの両頬Ｃから下顎Ｊを取り囲む顎掛け部１ｂと、前記動物Ｄのそれぞれの耳Ｅを取り囲む一対の耳掛け部１ｃとを備え、前記顎掛け部１ｂが、前記頭頂被覆部１ａから両側へ向けて延設された一対の側帯２と、これらの先端部に設けられ、これらを相互に連結するファスナー３とによって構成され、前記耳掛け部１ｃが、前記頭頂被覆部１ａから後方へ向けて略平行となるように延設された一対の上帯４と、前記各側帯２から後方へ向けて延設された一対の下帯５と、前記上帯４および前記下帯５の先端部に設けられ、これらを相互に連結するファスナー６とによって構成されている。
【００２６】
さらに詳述すれば、本実施形態においては、前記頭頂被覆部１ａの前部に、前記動物Ｄの頭部Ｈの上部前方へ突出させられるバイザー７が設けられ、また、前記頭頂被覆部１ａの後部には、その後端部に至る切り込み８が形成され、この切り込み８が後方に行くにしたがい漸次広がるように形成されているとともに、この切り込みの開閉をなすファスナー９が設けられている。
【００２７】
さらに、本実施形態においては、前記保護帽１が、図３に示すように、弾性材料である透明な合成樹脂からなるベースシートＳと、このベースシートＳの表面に貼着されて意匠的な効果を負荷する布製の装飾シートＷ（図４参照）とによって構成されており、両シートＳ・Ｗを貼り合わせた後に、これらの縁部を挟み込むようにして配置された縁布１０とともに縫い込むことによって組み上げられている。
【００２８】
そして、前記ベースシートＳには、紫外線遮蔽処理が施されており、前記装飾シートＷは、前記頭頂被覆部１ａの前方部分において，前記ベースシートＳを露出させることにより前記バイザー７を形成するようになっている。
【００２９】
前記ファスナー３・６は、本実施形態においては、面同士を圧着することによって連結されるシート状のファスナーが用いられており、前記切り込み８に装着されるファスナー９は、スライダー１１によって開閉させられる構造のものが用いられている。
【００３０】
さらに、本実施形態においては、前記耳掛け部１ｃを構成する上帯４の、前記下帯５と対向する部位には、前記動物Ｄの耳Ｅが差し込まれる凹部４ａが形成されている。
【００３１】
このように構成された本実施形態の保護帽１は、図５ないし図７に示すように、前記両側帯２の先端を、前記頭頂被覆部１ａの下方において，前記ファスナー３によって連結することにより、略円筒状に曲げられる。
【００３２】
この状態において、前記耳掛け部１ｃの前記上帯４と下帯５との連結はなされておらず、これによって、前記耳掛け部１ｃの後方が開放された状態に保持されている。
【００３３】
ここで、前記ファスナー３が面状に形成されていることにより、その重畳量を調整することによって前記円筒形状の内径を調製することができ、装着する動物Ｄの頭部の大きさに合わせた調整が可能である。
【００３４】
これより、前記切り込み８に設けられている前記ファスナー９の前記スライダー１１を後方へ移動させて，前記ファスナー９すなわち前記切り込み８を閉じる（図８ないし図１０参照）。
【００３５】
そして、前記切り込み８が後方に行くにしたがい漸次離間するように形成されていることから、この切り込み８が前記ファスナー９によって閉じられると、この切り込み８の中央部が上方へ向けて湾曲させられて、前記頭頂被覆部１ａが、その中央部が上方へ湾曲させられた略球殻状に変形させられる（図９および図１０参照）。
【００３６】
ここで、前記切り込み８の内縁を曲線状とすることによって前記湾曲形状をより球面に近づけることができる。
【００３７】
これより、前記各下帯５を、その先端が対応する前記上帯４の先端の内側に対峙させるように湾曲させた後に、これらの先端を前記ファスナー６によって連結することにより、図１１および図１２に示すように、球状の保護帽１に組み上げられる。
【００３８】
このように組み上げられる保護帽１は、連結された前記上帯４と下帯５とによって、動物Ｄの耳Ｅの挿通部が形成されるが、本実施形態においては、前記前記上帯４と下帯５とを連結する前記ファスナー６が面状に形成されていることから、このファスナー６の重畳量を調整することにより、前記耳Ｅの挿通部の大きさを調整することができる。
したがって、装着する動物Ｄの耳Ｅの大きさに適した大きさとすることができる。
【００３９】
そして、本実施形態に係わる保護帽１を動物Ｄの頭部に装着するには、前記両側帯２同士を連結して顎掛け部１ｂを形成し、かつ、前記ファスナー９を閉じて前記頭頂被覆部１ａを球殻状とした、図８ないし図１０に示す円筒状体とし、この円筒状体をその後方から動物Ｄの頭部に被せる。
【００４０】
その際に、前記耳掛け部１ｃの後方は開放されていることから、その開放部を利用して、前記耳掛け部１ｃ内に、動物Ｄの耳Ｅを挿入することにより、円滑に前記保護帽１を装着することができる。
【００４１】
ここで、前記耳掛け部１ｃを構成する前記上帯４および下帯５の先端部は、図１３に示すように、前記耳Ｅの後方に位置させられており、これより、前記上帯４および下帯５の先端部を重ね合わせるように湾曲させて，両者を前記ファスナー６によって連結することにより、前記耳Ｅが、図１４および図１５に示すように、その根元部分において前記耳掛け部１ｃによって取り囲まれる。
【００４２】
このような操作によって、本実施形態に係わる保護帽１が動物Ｄの頭部に装着される。
そして、装着された状態において、前記保護帽１は、前記動物Ｄの頭部Ｈ、両頬Ｃ、および、下顎Ｊを囲繞し、かつ、耳Ｅを取り囲む。
【００４３】
この結果、前記動物Ｄの、顔の部分を除く頭回りの殆どの部分を前記保護帽１によって包んだ状態で装着されることとなり、位置ずれの少ない安定した装着を可能にする。
【００４４】
しかも、両側帯２の連結長さ、および、両上帯４と下帯５との連結長さを調整することにより、装着する動物Ｄの体格に合わせた形状とすることができるので、その利用範囲が制限されることを極力回避することができる。
【符号の説明】
【００４５】
１  動物用頭部保護帽（保護帽）
１ａ  頭頂被覆部
１ｂ  顎掛け部
１ｃ  耳掛け部
２  側帯
３  ファスナー
４  上帯
４ａ  凹部
５  下帯
６  ファスナー
７  バイザー
８  切り込み
９  ファスナー
１０  縁布
１１  スライダー
Ｃ  頬
Ｄ  動物
Ｅ  耳
Ｈ  頭部
Ｊ  下顎
Ｓ  ベースシート
Ｗ  装飾シート
【図１】
0003187767.tif 000003
【図２】
0003187767.tif 000004
【図３】
0003187767.tif 000005
【図４】
0003187767.tif 000006
【図５】
0003187767.tif 000007
【図６】
0003187767.tif 000008
【図７】
0003187767.tif 000009
【図８】
0003187767.tif 000010
【図９】
0003187767.tif 000011
【図１０】
0003187767.tif 000012
【図１１】
0003187767.tif 000013
【図１２】
0003187767.tif 000014
【図１３】
0003187767.tif 000015
【図１４】
0003187767.tif 000016
【図１５】
0003187767.tif 000017